(57)【特許請求の範囲】
【請求項１】
カーテンレールの下辺上を水平方向の回転軸で対を成して転動する走行ローラーを、本体に対し前記カーテンレールの長手方向に２対設け、前記カーテンレールの開口縁に当接して垂直方向の回転軸で転動する一対の補助ローラーを、前記各走行ローラーの近傍で、前記本体にそれぞれ設け、
前記本体に、直角に屈曲したピンを前記本体の上方から垂直方向に挿通して前記補助ローラーを前記本体に回転可能に支持し、前記走行ローラーの心軸を前記ピンの水平部の上方で、前記水平部に交差する方向に位置させた
ことを特徴とするカーテンの先頭ランナー。
【請求項２】
カーテンレールの下辺上を水平方向の回転軸で対を成して転動する走行ローラーを、本体に対し前記カーテンレールの長手方向に２対設け、前記カーテンレールの開口縁に当接して垂直方向の回転軸で転動する一対の補助ローラーを、前記各走行ローラーの近傍で、前記本体にそれぞれ設け、
前記本体には、前記走行ローラーが前記カーテンレールの天井面に当接するとき、前記走行ローラーとともに前記天井面に当接するガイド突部を設けた
ことを特徴とするカーテンの先頭ランナー。
【請求項３】
前記走行ローラーの直径を、前記カーテンレール内の高さに近似する径とし、
前記本体の中心線に対して傾いた場合、前記走行ローラーの一方が前記天井面に当接することを特徴とする請求項２記載のカーテンの先頭ランナー。
【請求項４】
前記走行ローラー及び補助ローラーを一対の本体にそれぞれ設け、前記本体を連結板を介してカーテン生地の先端縁を吊下支持するランナーアームに取着したことを特徴とする請求項１乃至３のいずれか１項に記載のカーテンの先頭ランナー。
【請求項５】
直角に屈曲したピンを本体の上方から該本体に垂直方向に挿通して、垂直方向の回転軸で回転する補助ローラーを前記ピンで前記本体に回転可能に支持し、一対の走行ローラーの心軸を前記ピンの水平部の上方で前記水平部に交差する方向に位置させて、前記走行ローラーを水平方向の回転軸で前記本体に回転可能に支持したことを特徴とするカーテンの
先頭ランナーの組み立て方法。
【発明の詳細な説明】
【技術分野】
【０００１】
この発明は、カーテンレール内を移動可能に支持されて、カーテン生地の先端縁を支持して移送する先頭ランナーに関するものである。
【背景技術】
【０００２】
カーテンレールに沿ってカーテン生地を引き出し、あるいは畳み込むカーテンでは、カーテン生地の先端側上縁が先頭ランナーに吊下支持される。そして、先頭ランナーをカーテンレールに沿って移送することにより、カーテン生地の引き出し及び畳み込みが行われる。
【０００３】
このようなカーテンでは、カーテン生地の重量により、常には先頭ランナーに鉛直方向の負荷が作用する。しかし、鉛直方向以外の負荷が作用したとき、あるいはカーテンレールが窓面に沿って湾曲しているような場合には、先頭ランナーの走行ローラー以外の非回転部分がレール内面に接触して、円滑な走行を妨げることがある。
【０００４】
特許文献１〜４には、ランナーが傾いたときレールに当接して、ランナーを円滑に走行させるための補助ローラーを備えたランナーが開示されている。
【先行技術文献】
【特許文献】
【０００５】
【特許文献１】特開２００９‐８２６０７号公報
【特許文献２】特開平９‐１７３２０６号公報
【特許文献３】実開平５‐７４５９８公報
【特許文献４】特許第４５３８６８９号公報
【発明の概要】
【発明が解決しようとする課題】
【０００６】
特許文献１〜３には、ランナーがレールの前後方向に傾いたとき、レールの開口縁に当接して転動する補助ローラーが開示されている。このような構成により、ランナーがレールの前後方向に傾いても、ランナーの円滑な走行を妨げないようになっている。
【０００７】
しかし、ランナーがレールの長手方向に沿って傾く場合には、依然として非回転部分がレールに接触して、円滑な走行を妨げることがある。
また、補助ランナーのランナー本体への取付作業は、走行ローラーの本体への取付作業とは別個に行う必要があるので、組み立て工数が増大する。
【０００８】
特許文献４に開示された先頭ランナーでは、カーテンレールの底面に沿って転動する大型の補助輪により、先頭ランナーのカーテンレールの長手方向に沿った傾きを阻止している。
【０００９】
しかし、補助輪がカーテンレールの外部に露出されるため、美観を低下させるとともに、部品コストも増大する。また、カーテンレールが窓面に沿って湾曲していると、カーテンレールの開口溝内を移動する案内輪部分が開口縁に当接して、円滑な走行を妨げてしまう。
【００１０】
この発明の目的は、負荷の方向に関わらず、カーテンレール内を円滑に走行可能とするカーテンの先頭ランナーを提供することにある。
【課題を解決するための手段】
【００１１】
請求項１では、カーテンレールの下辺上を水平方向の回転軸で対を成して転動する走行ローラーを、本体に対し前記カーテンレールの長手方向に２対設け、前記カーテンレールの開口縁に当接して垂直方向の回転軸で転動する一対の補助ローラーを、前記各走行ローラーの近傍で、前記本体にそれぞれ設け、前記本体に、直角に屈曲したピンを前記本体の上方から垂直方向に挿通して前記補助ローラーを前記本体に回転可能に支持し、前記走行ローラーの心軸を前記ピンの水平部の上方で、前記水平部に交差する方向に位置させた。
【００１２】
請求項２では、カーテンレールの下辺上を水平方向の回転軸で対を成して転動する走行ローラーを、本体に対し前記カーテンレールの長手方向に２対設け、前記カーテンレールの開口縁に当接して垂直方向の回転軸で転動する一対の補助ローラーを、前記各走行ローラーの近傍で、前記本体にそれぞれ設け、前記本体には、前記走行ローラーが前記カーテンレールの天井面に当接するとき、前記走行ローラーとともに前記天井面に当接するガイド突部を設けた。
請求項３では、前記走行ローラーの直径を、前記カーテンレール内の高さに近似する径とし、前記本体の中心線に対して傾いた場合、前記走行ローラーの一方が前記天井面に当接するようにした。
【００１３】
請求項４では、前記走行ローラー及び補助ローラーを一対の本体にそれぞれ設け、前記本体を連結板を介してカーテン生地の先端縁を吊下支持するランナーアームに取着した。
【００１４】
請求項５では、直角に屈曲したピンを本体の上方から該本体に垂直方向に挿通して、垂直方向の回転軸で回転する補助ローラーを前記ピンで前記本体に回転可能に支持し、一対の走行ローラーの心軸を前記ピンの水平部の上方で前記水平部に交差する方向に位置させて、前記走行ローラーを水平方向の回転軸で前記本体に回転可能に支持した。
【発明の効果】
【００１５】
本発明によれば、負荷の方向に関わらず、カーテンレール内を円滑に走行可能とするカーテンの先頭ランナーを提供することができる。
【図面の簡単な説明】
【００１６】
【図１】電動カーテンを示す正面図である。
【図２】移送装置を示す分解斜視図である。
【図３】移送装置示す断面図である。
【図４】カバーを取り外した状態の移送装置を示す底面図である。
【図５】フックを示す斜視図である。
【図６】フックの使用状態を示す正面図である。
【図７】フックの使用状態を示す平面図である。
【図８】移送装置を示す底面図である。
【図９】モーターユニットを示す断面図である。
【図１０】モーターブラケットを示す斜視図である。
【図１１】モーターユニットを示す平面図である。
【図１２】ストッパー装置を示す断面図である。
【図１３】ベースボタンを示す斜視図である。
【図１４】移送装置を示す底面図である。
【図１５】モーターユニットの取り付け手順を示す斜視図である。
【図１６】モーターユニットの取り付け手順を示す斜視図である。
【図１７】（ａ）（ｂ）はベースボタンの動作を示す斜視図である。
【図１８】先頭ランナーを示す正面図である。
【図１９】先頭ランナーを示す平面図である。
【図２０】先頭ランナーを示す分解斜視図である。
【図２１】先頭ランナーを示す側面図である。
【図２２】先頭ランナーの動作を示す側面図である。
【図２３】ランナー部材を示す断面図である。
【発明を実施するための形態】
【００１７】
以下、この発明を具体化した電動カーテン（電動日射遮蔽装置）の一実施形態を図面に従って説明する。図１に示す両開き型の電動カーテンは、カーテンレール１の両端部から中央部に向かってカーテン生地（日射遮蔽材）２ａ，２ｂが引き出され、あるいはカーテンレール１の中央部から両端部に向かってカーテン生地２ａ，２ｂが畳み込まれる。
【００１８】
前記カーテンレール１には一対の先頭ランナー３ａ，３ｂが移動可能に支持され、先頭ランナー３ａとカーテンレール１の右端との間に多数のランナー４ａが移動可能に支持されている。また、先頭ランナー３ｂとカーテンレール１の左端との間に多数のランナー４ｂが移動可能に支持されている。
【００１９】
そして、一方のカーテン生地２ａが先頭ランナー３ａ及びランナー４ａに吊下支持され、他方のカーテン生地２ｂが先頭ランナー３ｂ及びランナー４ｂに吊下支持されている。
前記カーテンレール１の左右両端には、移送装置５ａ，５ｂが取着され、その移送装置５ａ，５ｂにはカーテンレール１内を移動する無端状の後記移送用ベルトが掛装されている。また、カーテンレール１の右端側の移送装置５ａにはモーターユニット６が吊下支持され、モーターユニット６内に配設されたモーターの駆動力によりカーテンレール１内で移送用ベルトが移動される。
【００２０】
そして、モーターの正逆方向の回転により前記先頭ランナー３ａ，３ｂがカーテンレール１の中央部に向かって移動し、あるいはカーテンレール１の両端部に移動する。
次に、カーテンレール１の左端側の移送装置５ｂの具体的構成を図２〜図８に従って説明する。
【００２１】
図２、図６及び図８に示すように、移送装置５ｂのケース７は前後方向（カーテンの前後方向）の幅と高さが、カーテンレール１より若干大きい略長四角形の箱状に形成され、その側面は前後方向にわずかに膨らむ曲面となっている。
【００２２】
前記ケース７の基端側には、前記カーテンレール１を嵌合可能とした嵌合口８が設けられている。そして、嵌合口８にカーテンレール１が嵌合され、図４に示すように、ケース７の下面に設けられる取付溝８ａに取着される取付具９でケース７がカーテンレール１に固定されている。
【００２３】
前記ケース７の下面は、前記取付具９が取着される基端側部分を除いて開口部１０で下方に開放されている。前記ケース７の上面中央部には円筒状の軸部１１が下方へ突出され、その軸部１１の外周面には環状のベアリング１２が嵌合されている。
【００２４】
前記ベアリング１２の外周面には円筒状のプーリー１３が嵌合されている。従って、プーリー１３はベアリング１２を介して軸部１１に回転可能に支持されている。前記プーリー１３の外周面は歯車状に形成され、その外周面に合成樹脂で形成された移送用ベルト１４が掛装される。
【００２５】
この移送用ベルト１４は前記移送装置５ａに取着されるモーターユニットの動作によりカーテンレール１内を移動する無端状のベルトであり、前記プーリー１３に噛み合うタイミングベルトで構成されている。従って、プーリー１３の回転にともなって移送用ベルト１４がカーテンレール１内を移動する。
【００２６】
前記ケース７内において、前記プーリー１３の周囲には前記嵌合口８に向かって略Ｕ字状に延びる案内壁１５が形成され、プーリー１３に掛装された移送用ベルト１４は案内壁１５の内側面に沿ってカーテンレール１内に案内される。
【００２７】
前記プーリー１３の上縁には、プーリー１３の歯車部分の最大径よりわずかに大きい直径のフランジ１６が形成されている。そして、フランジ１６によりプーリー１３に掛装された移送用ベルト１４のプーリー１３の軸方向上方への位置ずれが防止されるようになっている。
【００２８】
前記プーリー１３の中心部には下方に延びる入力軸１７が設けられ、その入力軸１７の中心部には四角孔１８が設けられている。この移送装置５ｂでは四角孔１８には何も接続されないが、基本的に同一構成となる前記移送装置５ａでは、後記するように四角孔１８にモーターユニット６の出力軸が嵌合される。また、前記プーリー１３の入力軸１７の周囲にはプーリー１３の回転中心を中心とする円形の突条１９が形成されている。この突条１９は断面半円形で形成されている。
【００２９】
前記プーリー１３はケース７の下面にネジ２５で固定されるケースプレート２０でケース７に保持される。ケースプレート２０とプーリー１３との間にはスリーブ２１が介在されている。
【００３０】
前記スリーブ２１は前記プーリー１３のフランジ１６と同一径で略円盤状に形成されるとともに、その中心部に前記プーリー１３の入力軸１７を嵌挿可能とした筒部２２が形成されている。そして、スリーブ２１の筒部２２に入力軸１７を嵌挿するとプーリー１３はその突条１９の頂点でスリーブ２１とほぼ線接触で当接するので、プーリー１３とスリーブ２１との間の摩擦抵抗が軽減され、プーリー１３の回転を妨げないようにしている。
【００３１】
前記ケースプレート２０は金属板で形成されるとともに、その中央部には前記スリーブ２１の筒部２２を挿通可能とした透孔２３が形成されている。また、透孔２３の中心に対し点対称となる位置には一対の取付孔２４が形成されている。取付孔２４は透孔２３の中心に対し同心円となる線分と、透孔２３の中心に向かって延びる線分とで区切られる湾曲した透孔として形成されている。
【００３２】
この移送装置５ｂでは取付孔２４は使用されないが、前記移送装置５ａでは取付孔２４に前記モーターユニット６が支持される。
そして、前記ベアリング１２、プーリー１３、移送用ベルト１４及びスリーブ２１をケース７内に収容し、ケースプレート２０をネジ２５でケース７に取着すると、移送用ベルト１４が掛装されたプーリー１３がケース７内で回転可能に支持される。
【００３３】
前記取付具９には、カーテンレール１の端部で移動不能に固定される固定リング２６が取着され、常にはカーテン生地２ｂの上縁後端部が吊下支持されている。
図３及び図４に示すように、前記ケース７の底面先端側に設けられた収容凹部２７には２個のフック２８が収容凹部２７の深さ方向に積層した状態で保持されている。なお、収容凹部２７には収容凹部２７からの取り外し操作を容易に行うための操作凹部２７ａが収容凹部２７に交差する溝状の凹部として形成されている。
【００３４】
前記フック２８は合成樹脂で略板状に形成され、図５に示すように、上端から後方にクランク状に延びる掛止め片２９が形成されている。また、前記掛止め片２９の後面において左右方向中央には、上下方向に延びる突条３０が形成されている。
【００３５】
前記フック２８の下端部には左右両側部が前方に突出されて突出部が形成されるとともに、その突出部の前端が連結されて四角枠状の吊り下げ部３１が形成されている。そして、吊り下げ部３１にカーテン生地２ｂの後端部を吊り下げ可能となっている。
【００３６】
図７に示すように、前記ケース７の上面先端側の周縁部には、前記フック２８の掛止め片２９を上方から掛止め可能とした掛止め溝３２が形成されている。そして、掛止め片２９の突条３０に対向する掛止め溝３２の側面には、複数の突部３３が等間隔に設けられ、各突部３３間に突条３０を挿入可能となっている。
【００３７】
従って、フック２８の取付位置は、ケース７の前面から先端側の側面及び後面にかけて１０箇所設けられ、その１０箇所の中からいずれかを選択してフック２８を取付け可能となっている。
【００３８】
前記移送装置５ａ，５ｂでは、１０箇所の取付位置の中から、それぞれ前面及び側面にかけて位置する５箇所の取付位置のいずれかを選択して、フック２８が取着される。
そして、フック２８を図６及び図７に示すようにケース７に取着し、そのフック２８にカーテン生地２ｂの上縁後端部を吊下支持可能である。従って、フック２８の取付け位置を調節することにより、カーテン生地２ｂの後端部の吊り下げ位置を５段階に調節可能である。
【００３９】
前記移送装置５ｂには２個のフック２８が収容されていて、移送装置５ｂと移送装置５ａとに１つずつのフック２８を使用してカーテン生地２ａ，２ｂの後端部の吊り下げ位置を位置調節可能である。
【００４０】
また、図１４に示すように、移送装置５ｂと同様な構成の移送装置５ａにも収容凹部２７に２個の予備のフック２８を収容可能である。
前記移送装置５ｂには前記開口部１０を覆うカバー８９が取着され、前記ケースプレート２０やフック２８を収容した収容凹部２７等を覆い隠すようになっている。
【００４１】
次に、前記移送装置５ａに取着されるモーターユニット６の構成を説明する。
図９に示すように、モーターユニット６は略四角筒状のモーターケース３４内に、モーター３５と、クラッチ３６と、センサー部３７と、電源基板３８と制御基板３９、スイッチ基板４０及びモジュラー基板４１等が収容されている。
【００４２】
そして、モジュラー基板４１にケーブルを介して接続される操作スイッチ（図示しない）の操作に基づいて、制御基板３９に搭載された制御回路によりモーター３５の動作が制御される。
【００４３】
前記センサー部３７は、モーターケース３４の上端部に位置するベース部材４３に第一のフレーム４４を介して支持され、第一のフレーム４４に取着された第二のフレーム４５にモーター３５が取着されている。
【００４４】
また、第二のフレーム４５に取着された第三のフレーム４６に電源基板３８及び制御基板３９が取着されている。前記スイッチ基板４０は、カーテン生地２ａ，２ｂを移送するためにあらかじめ設定された複数の制御モードの中からいずれかのモードを設定する場合に使用される。そして、制御基板３９と所定の配線で接続されたスイッチ基板４０がユニットキャップ４７に取着され、そのユニットキャップ４７がモーターケース３４の下端に取着されている。
【００４５】
前記モーター３５の出力軸は前記クラッチ３６を介してモーターユニット６の出力軸４２に連結され、その出力軸４２はベース部材４３から上方へ突出されている。この出力軸４２は、前記移送装置５ａの四角孔１８に嵌合可能とした四角軸状に形成されている。
【００４６】
前記クラッチ３６は、出力軸４２に作用する負荷があらかじめ設定された値を超えると、モーター３５の出力軸を空回りさせて、モーター３５の破損を防止している。
前記ベース部材４３の上面には金属板で形成されたモーターブラケット４８が取着されている。このモーターブラケット４８の中央部には前記出力軸４２を挿通可能とした透孔４９が形成されている。
【００４７】
図１０に示すように、前記透孔４９の前後両側において、モーターブラケット４８の端縁には一対の係止片５０が前記透孔４９の中心に対し点対称状に形成されている。前記係止片５０は、その上端部に互いに反対方向へ水平方向に突出する突部５１が延設されている。
【００４８】
そして、係止片５０は前記出力軸４２を移送装置５ａの四角孔１８に嵌合した状態で前記ケースプレート２０の取付孔２４に挿入可能とする位置に形成されるとともに、取付孔２４に挿入可能とする長さ及び厚さで形成される。
【００４９】
従って、このようなモーターユニット６の上端に設けられた係止片５０を移送装置５ａの取付孔２４に嵌挿し、この状態で図１５及び図１６に示すように、出力軸４２を回動支点としてモーターユニット６を一方へ約２０度回動させると、係止片５０の突部５１が取付孔２４からケースプレート２０の上方に移動して、ケースプレート２０の上面に係合する。すると、モーターユニット６が移送装置５ａに吊下支持されるようになっている。
【００５０】
前記モーターユニット６の一側には、前記係止片５０の突部５１がケースプレート２０の上面に係合している状態で、移送装置５ａに対するモーターユニット６の回動を阻止するストッパー装置５２が設けられている。
【００５１】
ストッパー装置５２の具体的構成を説明すると、図１１及び図１２に示すように、前記ベース部材４３の一側にはレール部５３が形成され、そのレール部５３にベースボタン５４がベース部材４３の一側に向かって出没可能に支持されている。
【００５２】
前記ベースボタン５４の基端側には、図１３に示すように、前記レール部５３に対し相対移動可能に係合する一対の案内片５５が設けられ、その案内片５５間の溝部内には前記ベース部材４３の中央部に向かって突出するスプリング保持軸５６が形成されている。
【００５３】
前記スプリング保持軸５６にはコイルスプリング５７の一端部が保持され、そのコイルスプリング５７の他端は前記レール部５３の先端に当接している。そして、ベースボタン５４はレール部５３の先端を支点とするコイルスプリング５７の付勢力により、その先端がベース部材４３の一側から突出する方向に付勢されている。
【００５４】
前記ベースボタン５４の先端部には、図１７に示すように、前記ベース部材４３の一側に設けられる開口部４３ａに露出される操作部５８が形成されている。
前記操作部５８の先端面は、図１７に示すように、ベース部材４３の一端側側面に連なるように若干の凸曲面に形成されている。
【００５５】
前記ベースボタン５４の操作部５８の上端部には、ベースボタン５４の先端側に突出する係合突部６０が形成されている。この係合突部６０の前後方向（図１１において上下方向）の幅は、図１４に示すように、前記移送装置５ａのケース７の取付溝８ａに係合し得る幅に形成されている。
【００５６】
また、前記係合突部６０の上面先端側には、ベースボタン５４の先端に向かって下る斜面６１が形成されている。
このように構成されたモーターユニット６を移送装置５ａに取着するには、まず出力軸４２を移送装置５ａの四角孔１８に嵌合しながら、モーターユニット６のモーターブラケット４８から突出される係止片５０を、移送装置５ａの下面に露出される取付孔２４に下方から挿入する。
【００５７】
すると、図１４に示すように、ストッパー装置５２のベースボタン５４の係合突部６０が前記取付溝８ａの基端一側に設けられる凹部６２ａ内に位置する状態となる。
この状態から、モーターユニット６を図１５に示す状態から図１６に示す状態まで回動させると、係止片５０の突部５１が移送装置５ａのケースプレート２０の上面に係合して、モーターユニット６が移送装置５ａに吊下支持される。
【００５８】
同時に、ベースボタン５４の係合突部６０が押圧部６２を乗り越え、図１４及び図１７（ｂ）に示すように、コイルスプリング５７の付勢力により係合突部６０が押し出されて取付溝８ａ内に突出される。
【００５９】
この状態では、係合突部６０が取付溝８ａに係合して、移送装置５ａに対するモーターユニット６の回動が阻止され、モーターユニット６が移送装置５ａに安定して吊下支持される。
【００６０】
モーターユニット６を移送装置５ａから取り外すには、図１７（ａ）に示すように、ベースボタン５４の先端面を押圧して係合突部６０と取付溝８ａの係合を解除した状態でモーターユニット６を回動させる。そして、係止片５０の突部５１を取付孔２４から取り出し可能となるまで回動させると、モーターユニット６を移送装置５ａから取り外し可能となる。
【００６１】
次に、前記先頭ランナー３ａ，３ｂの具体的構成を説明する。先頭ランナー３ａ，３ｂは同一構成のランナーがカーテンレール１に相対向するように支持されているので、図１８に示す先頭ランナー３ａについて説明する。
【００６２】
図２０に示すように、先頭ランナー３ａは、金属板で形成される連結板６３と、一対のランナー部材６４ａ，６４ｂとランナーアーム６５及び一対のベルトジョイント６６ａ，６６ｂとで構成される。
【００６３】
ランナー部材６４ａ，６４ｂは、合成樹脂で形成された本体６７の前後両側に一対の走行ローラー６８がそれぞれ回転可能に支持されている。走行ローラー６８の回転軸の方向は、前記カーテンレールに直交する水平方向である。
【００６４】
前記走行ローラー６８は、図２１に示すように、前記カーテンレール１の下辺６９上を転動する。また、走行ローラー６８の直径はカーテンレール１内の高さ寸法より僅かに小さい寸法で形成されている。
【００６５】
前記走行ローラー６８の斜め下方において、前記本体６７には補助ローラー７０が回転可能に支持されている。補助ローラー７０の回転軸の方向は鉛直方向であり、その直径は図２１に示すように、カーテンレール１の下辺６９の開口縁７１の間隔より僅かに小さい寸法に設定されている。
【００６６】
そして、前記走行ローラー６８が下辺６９上を転動するとき、補助ローラー７０は開口縁７１に沿って転動するようになっている。
前記補助ローラー７０は、図２３に示すように、本体６７の上方から補助ローラー７０の取付位置に嵌挿されるピン７２で本体６７に回転可能に支持されている。前記ピン７２は直角に屈曲された金属製のピンである。
【００６７】
具体的には、前記本体６７にはこの先頭ランナー３ａの移動方向に沿って一側に突出する支持部７３が設けられ、その支持部７３に前記走行ローラー６８が回転可能に支持されている。
【００６８】
前記本体６７の上面には、前記ピン７２を挿入可能とした組み立て凹部７４が開口され、前記補助ローラー７０は支持部７３の下方において、前記支持部７３の突出方向と本体６７の前後両側に開口する支持凹部７５に配設されている。
【００６９】
前記組み立て凹部７４の底面及び前記支持凹部７５の下面には、補助ローラー７０の支持位置で前記ピン７２を挿通可能とした支持孔７６ａ，７６ｂが形成されている。
そして、走行ローラー６８及び補助ローラー７０を本体６７に取着するには、まず補助ローラー７０を本体６７の側方から支持凹部７５に挿入した状態で、上方から組み立て凹部７４にピン７２を挿入し、前記支持孔７６ａから，補助ローラー７０の中心部及び支持孔７６ｂに挿通する。
【００７０】
すると、補助ローラー７０が支持凹部７５内でピン７２を介して本体６７に回転可能に支持される。ピン７２はその水平部７２ａが組み立て凹部７４内に位置して、回動不能に保持される。
【００７１】
次いで、支持部７３の両側に走行ローラー６８を位置させた状態で走行ローラー６８の心軸７７を走行ローラー６８及び本体６７に挿通し、心軸７７の両端をかしめて走行ローラー６８の心軸７７からの抜けを防止する。
【００７２】
すると、走行ローラー６８が本体６７に回転可能に支持される。このとき、前記心軸７７は前記ピン７２の水平部７２ａの上方に位置し、ピン７２の上方への抜けを防止するようになっている。
【００７３】
このような組み立て手順で走行ローラー６８及び補助ローラー７０が本体６７に回転可能に支持されるランナー部材６４ａ，６４ｂが組み立てられる。
前記ランナー部材６４ａ，６４ｂの本体６７の上面において、前記走行ローラー６８が支持される支持部７３の反対側端縁に、上方へ突出するガイド突部９０がそれざれ形成されている。このガイド突部９０は、図２１に示すように、前記走行ローラー６８の高さと等しい高さとなるように形成されている。
【００７４】
前記ランナー部材６４ａ，６４ｂと連結板６３とランナーアーム６５を組み立てるには、まずランナー部材６４ａ，６４ｂを前記連結板６３に上方から嵌合する。具体的には、連結板６３の中央部に上方に突出する一対の嵌合片７８が形成され、ランナー部材６４ａ，６４ｂの本体６７には下方から嵌合片７８を嵌合可能とした嵌合孔７９が形成されている。
【００７５】
そして、嵌合孔７９に嵌合片７８を嵌合すると、ランナー部材６４ａ，６４ｂが連結板６３に保持される。
次いで、本体６７の下部に設けられた挿通孔８０と、前記ランナーアーム６５の基端部に設けられた挿通孔８１と、連結板６３に設けられたネジ孔８２を位置合わせし、ネジ８３を挿通孔８１から挿通孔８０を経て本体６７内に位置する連結板６３のネジ孔８２に螺入して、本体６７を貫通させる。
【００７６】
すると、ランナー部材６４ａ，６４ｂが連結板６３を介してランナーアーム６５に固定されて、先頭ランナー３ａが形成される。
前記ランナー部材６４ａ，６４ｂの各本体６７には前記走行ローラー６８の側方に保持孔８４が形成され、前記ベルトジョイント６６ａ，６６ｂの取付軸８５が嵌合されて保持されるようになっている。ベルトジョイント６６ａ，６６ｂは、取付軸８５の先端部にベルト保持部８６が設けられている。
【００７７】
このベルト保持部８６は、取付軸８５の先端に設けられた第一の狭着片８７と、その第一の狭着片８７に着脱可能に嵌着される第二の狭着片８８とで前記移送用ベルト１４を狭着保持可能である。
【００７８】
そして、この先頭ランナー３ａのベルトジョイント６６ａ，６６ｂで移送用ベルト１４の両端部をそれぞれ保持し、ベルトジョイント６６ａ，６６ｂの取付軸８５を本体６７の保持孔８４に嵌合することにより、無端状の移送用ベルト１４が形成される。先頭ランナー３ｂではベルトジョイント６６ａ，６６ｂで移送用ベルト１４の中間部が保持されている。
【００７９】
無端状の移送用ベルト１４は、カーテンレール１の両端部で移送装置５ａ，５ｂ内のプーリー１３にそれぞれ掛装され、前記モーター３５の動作に基づいて移送装置５ａ，５ｂ間を移送される。
【００８０】
このような構成により、モーター３５の動作に基づいてカーテンレール１内で移送用ベルト１４が移送されると、先頭ランナー３ａ，３ｂが互いに近づく方向あるいは互いに遠ざかる方向に移動される。先頭ランナー３ａ，３ｂが互いに近づく方向に移送されると、カーテン生地２ａ，２ｂがカーテンレール１の中央部に引き出され、先頭ランナー３ａ，３ｂが互いに遠ざかる方向に移送されると、カーテン生地２ａ，２ｂがカーテンレール１の両端部に向かって畳み込まれる。
【００８１】
カーテン生地２ａ，２ｂの移送中に、カーテン生地２ａ，２ｂから先頭ランナー３ａ，３ｂに作用する負荷により、図２２に示すように、先頭ランナー３ａ，３ｂがカーテンレール１の前後方向に傾くと、補助ローラー７０がカーテンレール１の開口縁に当接する。そして、一方の走行ローラー６８及びガイド突部９０がカーテンレール１の天井面に当接して、本体６７の傾きが抑制される。
【００８２】
この実施形態では、ランナー部材６４ａ，６４ｂの本体６７の中心線と鉛直線との挟み角αが最大２．８度となるように設定されている。
このような動作により、先頭ランナー３ａ，３ｂに負荷が作用して本体６７が傾いても、補助ローラー７０が開口縁７１に当接して転動するとともに、走行ローラー６８の一方がカーテンレール１の天井面に当接して転動する。
【００８３】
また、図１９に示すように、カーテンレール１が湾曲していても、先頭ランナー３ａ，３ｂは補助ローラー７０がカーテンレール１の開口縁７１に当接しながら転動する。
従って、先頭ランナー３ａ，３ｂは負荷により本体６７が傾いても、あるいはカーテンレール１が湾曲していても、先頭ランナー３ａ，３ｂはカーテンレール１内を円滑に移動する。
【００８４】
また、先頭ランナー３ａ，３ｂで、ランナーアーム６５の先端に作用するカーテン生地２ａ，２ｂの重量が増大すると、先頭ランナー３ａ，３ｂで先頭側に位置するランナー部材６４ａを支点として、後方に位置するランナー部材６４ｂがカーテンレール１の下辺６９から浮き上がろうとする。しかし、図１８に鎖線で示すように、ランナー部材６４ｂの走行ローラー６８はカーテンレール１の天井面に直ちに当接するため、カーテンレール１内を円滑に移動する。
【００８５】
このとき、ランナー部材６４ｂの走行ローラー６８とともにガイド突部９０も天井面に当接するため、ランナー部材６４ｂの浮き上がりが抑制され、ランナーアーム６５の傾きが抑制される。
【００８６】
上記のように構成された電動カーテン及び先頭ランナーでは、次に示す効果を得ることができる。
（１）カーテンレール１の両端部に取着された移送装置５ａ，５ｂ間で移送用ベルト１４をカーテンレール１内で移送可能とし、一方の移送装置５ａに取着されたモーターユニット６の動作により移送用ベルト１４を移送して、先頭ランナー３ａ，３ｂを移送することができる。そして、先頭ランナー３ａ，３ｂの移動により、カーテン生地２ａ，２ｂの引き出し及び畳み込みを行うことができる。
（２）先頭ランナー３ａ，３ｂがランナーアーム６５に作用する負荷によりカーテンレール１の前後方向に傾くとき、各ランナー部材６４ａ，６４ｂの走行ローラー６８のいずれかがカーテンレール１の天井面に当接しながら転動するとともに、補助ローラー７０がカーテンレール１の開口縁７１に当接しながら転動する。従って、先頭ランナー３ａ，３ｂがカーテンレール１の前後方向に傾いても、カーテンレール１内を円滑に走行させることができる。
（３）先頭ランナー３ａ，３ｂがランナーアーム６５に作用する負荷によりカーテンレール１の長手方向に傾くとき、後方に位置するランナー部材６４ｂの走行ローラー６８がカーテンレール１の天井面に当接しながら転動する。従って、先頭ランナー３ａ，３ｂがカーテンレール１の長手方向に傾いても、カーテンレール１内を円滑に走行させることができる。
（４）カーテンレール１が窓面に沿って湾曲していても、各ランナー部材６４ａ，６４ｂの補助ローラー７０がそれぞれ開口縁７１に当接しながら転動する。従って、先頭ランナー３ａ，３ｂをカーテンレール１内で円滑に走行させることができる。
（５）ピン７２を本体６７の支持孔７６ａ，７６ｂ及び補助ローラー７０に挿通し、次いで走行ローラー６８を心軸７７で本体６７に取着すると、心軸７７によりピン７２の本体６７からの抜けが防止される。従って、補助ローラー７０の取付作業はピン７２を挿入するだけでよく、走行ローラー６８の取付を行えば、補助ローラーの取付作業も完了するので、組み立て工数の低減を図ることができる。
（６）同一構成のランナー部材６４ａ，６４ｂを連結板６３に線対称状に取着して先頭ランナーを形成することができる。各ランナー部材６４ａ，６４ｂを共通の部品で形成することができるので、部品コストを低減することができる。
【００８７】
上記実施形態は、以下の態様で実施してもよい。
・ランナー部材６４ａ，６４ｂの本体６７を、一体に形成してもよい。
【符号の説明】
【００８８】
１…カーテンレール、２ａ，２ｂ…カーテン生地、６５…ランナーアーム、６７…本体、６８…走行ローラー、６９…下辺、７０…補助ローラー、７１…開口縁、７２…ピン、７２ａ…水平部、７７…心軸。
【図１】
0005996214.tif 000002
【図２】
0005996214.tif 000003
【図３】
0005996214.tif 000004
【図４】
0005996214.tif 000005
【図５】
0005996214.tif 000006
【図６】
0005996214.tif 000007
【図７】
0005996214.tif 000008
【図８】
0005996214.tif 000009
【図９】
0005996214.tif 000010
【図１０】
0005996214.tif 000011
【図１１】
0005996214.tif 000012
【図１２】
0005996214.tif 000013
【図１３】
0005996214.tif 000014
【図１４】
0005996214.tif 000015
【図１５】
0005996214.tif 000016
【図１６】
0005996214.tif 000017
【図１７】
0005996214.tif 000018
【図１８】
0005996214.tif 000019
【図１９】
0005996214.tif 000020
【図２０】
0005996214.tif 000021
【図２１】
0005996214.tif 000022
【図２２】
0005996214.tif 000023
【図２３】
0005996214.tif 000024